(57)【要約】【課題】  電熱線の交換が簡単な電熱シーラーの提供。【解決手段】  ベース、シールモジュール、押圧部、前蓋を包含し、該シールモジュールが該ベースの前収容室に設置され、該押圧部の第１端と後収容室が枢設され、第２端が下向きに押される時に該シールモジュール位置に対応し、該前蓋は該シールモジュールを被覆し、該前蓋が複数の固定ピンを有し、該ベースの前収容室が複数の固定孔を有し、該前蓋が該固定ピンの該固定孔への挿入により該ベース上に結合され、これにより、使用者が前蓋を開けて酸化或いは切れた電熱線を簡単に交換できる。【選択図】        図１
2010018347.tif 000002
【特許請求の範囲】
【請求項１】
電熱シーラーにおいて、
ベースであって、該ベース内に、前収容室、前当接壁、電池室、後当接壁、後収容室、二つの前金属接触片、及び少なくとも一つの後金属接触片が設置され、該前収容室に支持部が設置され、該二つの前金属接触片はそれぞれ該前当接壁に固着され、該少なくとも一つの後金属接触片は後当接壁に設置された、上記ベースと、
シールモジュールであって、該シールモジュールは該前収容室内に設置され、該シールモジュールは耐熱絶縁基部、電熱部を有し、該電熱部は該耐熱絶縁基部上に設けられた、上記シールモジュールと、
押圧部であって、該押圧部は第１端、及び第２端を有し、該第１端が該後収容室に枢設され、該第２端は下向きに押圧される時に該シールモジュールの位置に対応する、上記押圧部と、
前蓋であって、該シールモジュールを被覆するように該ベースに組み合わされる、上記前蓋と、
を有することを特徴とする、電熱シーラー。
【請求項２】
請求項１記載の電熱シーラーにおいて、該前蓋に複数の固定ピンを具え、該ベースの該前収容室は複数の固定孔を具え、該前蓋は該複数の固定ピンが該複数の固定孔に挿入されることにより、該ベースの該前収容室上を閉じるように組み合わされることを特徴とする、電熱シーラー。
【請求項３】
請求項１記載の電熱シーラーにおいて、電池蓋及び後蓋を具え、該電池蓋により該電池室上が閉じられ、該後蓋により該後収容室が閉じられ、該後蓋に穿孔が開設されたことを特徴とする、電熱シーラー。
【請求項４】
請求項３記載の電熱シーラーにおいて、該後収容室が収容溝と安全スイッチを有し、該安全スイッチは上押圧柱及びバネを有し、該バネは該収容溝内に収容され、並びに該上押圧柱と該収容溝の間に介装され、該上押圧柱は該後蓋の穿孔を挿通することを特徴とする、電熱シーラー。
【請求項５】
請求項１記載の電熱シーラーにおいて、該シールモジュールは圧縮バネを有し、該圧縮バネは該耐熱絶縁基部と該支持部の間に設置されることを特徴とする、電熱シーラー。
【請求項６】
請求項１記載の電熱シーラーにおいて、該耐熱絶縁基部は左側部、中間突出部、及び右側部を有し、該前蓋に貫通孔が設けられ、該耐熱絶縁基部の該中間突出部が該貫通孔を挿通することを特徴とする、電熱シーラー。
【請求項７】
請求項６記載の電熱シーラーにおいて、該電熱部は少なくとも一つの電熱線、第１金属係止体、及び第２金属係止体を有し、該第１金属係止体は該左側部に係合し、該第２金属係止体は該右側部に係合し、該少なくとも一つの電熱線は該耐熱絶縁基部の中間突出部上に位置決めされることを特徴とする、電熱シーラー。
【請求項８】
請求項７記載の電熱シーラーにおいて、該電熱部は耐熱絶縁被覆片を有し、該耐熱絶縁被覆片は該電熱部の該電熱線上を被覆することを特徴とする、電熱シーラー。
【請求項９】
請求項１記載の電熱シーラーにおいて、該前蓋に二つの枢設孔が設けられ、保護部材が該前蓋の枢設孔に枢設されることを特徴とする、電熱シーラー。
【請求項１０】
請求項１記載の電熱シーラーにおいて、該ベースはスイッチ、及び発光ダイオードを有し、スイッチと発光ダイオードは電気的に接続されることを特徴とする、電熱シーラー。
【請求項１１】
請求項１記載の電熱シーラーにおいて、安全カッタが設けられ、該安全カッタは選択的に該ベースの下方に収納されるか或いはそこから引き出されることを特徴とする、電熱シーラー。
【発明の詳細な説明】
【技術分野】
【０００１】
本発明は一種の電熱シーラーに係り、特に電熱シーラーに適用される改良構造に関する。
【背景技術】
【０００２】
日常生活で、人々はサイズや厚さが異なるプラスチックバッグを使用しており、使用する物品を使用し切らない場合で、この物品が空気中に曝されて損壊しやすい場合は、プラスチックバッグに入れてシールするための電熱シーラーが発明された。
【発明の開示】
【発明が解決しようとする課題】
【０００３】
周知の電熱シーラーのシールモジュールは前蓋と密着するよう結合された後には開けられない構造となっており、シールモジュールの電熱線が酸化した或いは切れて使用不能となった時、使用者が電熱線を交換しようとする場合、強制的に前蓋を開ければ、構造が破壊されて再度前蓋を取り付けられないという損害を生じる。
【０００４】
このため、速やかに電熱線を交換できる電熱シーラーが求められている。
【課題を解決するための手段】
【０００５】
本発明の電熱シーラーは、ベース、シールモジュール、及び押圧部を包含する。
【０００６】
該ベース内に、前収容室、前当接壁、電池室、後当接壁、後収容室、二つの前金属接触片、及び少なくとも一つの後金属接触片が設置され、該前収容室に支持部が設置される。該二つの前金属接触片はそれぞれ前当接壁に固着され、該少なくとも一つの後金属接触片は後当接壁に設置される。
【０００７】
該シールモジュールは該前収容室内に設置され、該シールモジュールは耐熱絶縁基部、電熱部、及び圧縮バネを包含する。該電熱部は電熱線を具え、該耐熱絶縁基部上に設けられ、該圧縮バネは該耐熱絶縁基部と該前収容室の該支持部の間に設置される。
【０００８】
該押圧部は第１端、及び第２端を有し、該第１端が該後収容室に枢設される。前蓋が該シールモジュールを被覆するように該ベースに結合される。該前蓋には複数の固定ピンが設けられ、該ベースの該前収容室は複数の固定孔を具え、該前蓋は該複数の固定ピンが該複数の固定孔に挿入されることにより、該ベースの該前収容室上を閉じる。
【０００９】
これにより、使用者は簡単に該前蓋を開けてシールモジュールの酸化或いは切れた電熱線を交換できる。
【００１０】
このほか、本発明は更に電池蓋及び後蓋を具え得て、該電池蓋により該電池室上が閉じられ、該後蓋により該後収容室が閉じられる。該後蓋に穿孔が開設され、該後収容室は収容溝と安全スイッチを有する。該安全スイッチは上押圧柱及びバネを有し、該バネは該収容溝内に収容され、並びに該上押圧柱と該収容溝の間に介装される。該上押圧柱は該後蓋の穿孔を挿通する。
【００１１】
該シールモジュールは圧縮バネを有し得て、該圧縮バネは該耐熱絶縁基部と該支持部の間に設置される。該耐熱絶縁基部は左側部、中間突出部、及び右側部を有する。該前蓋に貫通孔が設けられ、該耐熱絶縁基部の該中間突出部が該貫通孔を挿通する。
【００１２】
該電熱部は少なくとも一つの電熱線、第１金属係止体、及び第２金属係止体を有する。該第１金属係止体は該左側部に係合し、該第２金属係止体は該右側部に係合し、該少なくとも一つの電熱線は該耐熱絶縁基部の中間突出部上に位置決めされる。該電熱部は耐熱絶縁被覆片を有し、該耐熱絶縁被覆片は該電熱部の該電熱線上を被覆する。
【００１３】
該前蓋は保護部材と二つの枢設孔を有し得る。該ベースは少なくとも一つの位置決め孔を有し得て、該前蓋は更に少なくとも一つの位置決め柱を具え、該位置決め柱が該位置決め孔に挿入される。
【００１４】
該ベースはスイッチ、及び発光ダイオードを有し得て、スイッチと発光ダイオードは電気的に接続される。該電熱シーラーは安全カッタを有し得て、該安全カッタは選択的に該ベースの下方に収納されるか或いはそこから引き出される。
【発明の効果】
【００１５】
本発明の構造により、使用者は簡単に該前蓋を開けてシールモジュールの酸化或いは切れた電熱線を交換できる。
【発明を実施するための最良の形態】
【００１６】
図１は本発明の好ましい実施例の分解図である。図示されるように、本実施例の電熱シーラーは、ベース１０、シールモジュール３０、押圧部４０、前蓋５１、電池蓋５２、及び後蓋５３を有する。
【００１７】
そのうち、該ベース１０の内側に前収容室１１、前当接壁１２、電池室１３、後当接壁１４、後収容室１５、二つの前金属接触片２１、及び少なくとも一つの後金属接触片２２が設置される。
【００１８】
図１に示されるように、シールモジュール３０は該ベース１０の該前収容室１１内に設置され、該シールモジュール３０は耐熱絶縁基部３１、電熱部３２、及び圧縮バネ３３を包含する。
【００１９】
図２は本発明の好ましい実施例のシールモジュールの分解図である。図示されるように、該電熱部３２は該耐熱絶縁基部３１上に設けられ、該耐熱絶縁基部３１は左側部３１１、中間突出部３１２、及び右側部３１３を有する。該電熱部３２は少なくとも一つの電熱線３２１、第１金属係止体３２２、及び第２金属係止体３２３を有する。該第１金属係止体３２２は該耐熱絶縁基部３１の該左側部３１１に係合し、該第２金属係止体３２３は該耐熱絶縁基部３１の該右側部３１３に係合し、該少なくとも一つの電熱線３２１は該耐熱絶縁基部３１の中間突出部３１２上に位置決めされる。該電熱部３２は更に耐熱絶縁被覆片３２４を有し、該耐熱絶縁被覆片３２４は該電熱部３２の該電熱線３２１上を被覆する。
【００２０】
再び図１を参照されたい。該前収容室１１に支持部１１１が設置され、圧縮バネ３３が該耐熱絶縁基部３１と該前収容室１１の該支持部１１１の間に設置される。更に、二つの前金属接触片２１がそれぞれ該前当接壁１２に固着され、該後金属接触片２２は該後当接壁１４に設置され、該前蓋５１に貫通孔５１１が開設されて、該耐熱絶縁基部３１の中間突出部３１２は該前蓋５１の貫通孔５１１を挿通する。このほか、前蓋５１に二つの固定ピン５１４が設けられ、該ベース１０の該前収容室１１は二つの固定孔１１２を具え、該前蓋５１は該二つの固定ピン５１４が該ベース１０の該二つの固定孔１１２に挿入されることにより、該ベース１０の該前収容室１１上を閉じるようにベース１０に結合される。
【００２１】
該圧縮バネ３３が該耐熱絶縁基部３１に弾力支持を提供することにより、該耐熱絶縁基部３１が該ベース１０に対して上下に作動し、これにより該第１金属係止体３２２、及び第２金属係止体３２３がそれぞれ二つの前金属接触片２１と接触或いは分離し、且つ該前蓋５１は固定ピン５１４とベース１０の固定孔１１２間の摩擦力により該ベース１０に固定されているため、簡単に何度でも前蓋５１を開いてシールモジュール３０の既に酸化或いは切れた電熱線３２１を交換できる（図２参照）。
【００２２】
図１と共に図３を参照されたい。図３は本発明の好ましい実施例の立体図で表示した保護部材を結合した状態図である。図示されるように、前蓋５１は保護部材５１２と二つの枢設孔５１３を有する。該保護部材５１２は該枢設孔５１３に枢設され、並びに上向きに回転してシールモジュール３０を被覆して押圧部４０による下向きの押圧を阻止でき、圧縮バネ３３の提供する上向きの弾力により電熱部３２の第１金属係止体３２２、第２金属係止体３２３が電池室１３内の前金属接触片２１に接触し導通することがないようにし、これにより、誤って接触或いは押圧することにより起動するのを防止し、使用上の安全性を増している。
【００２３】
図１に示されるように、電熱シーラーは更に電池蓋５２及び後蓋５３を具え得て、該電池蓋５２により該電池室１３上が閉じられ、該後蓋５３により該後収容室１５上が閉じられる。該後蓋５３に穿孔５３１が開設され、該後収容室１５は収容溝１５１と安全スイッチ１５２を有する。該安全スイッチ１５２は上押圧柱１５３及びバネ１５４を有し、該バネ１５４は該収容溝１５１内に収容され、並びに該上押圧柱１５３と該収容溝１５１の間に介装される。該後蓋５３が後収容室１５に閉じ合わされた後、該上押圧柱１５３は該後蓋５３の穿孔５３１を挿通する。
【００２４】
図１と共に図４を参照されたい。図４は本発明の好ましい実施例の電気回路図である。図示されるように、押圧部４０は第１端４１と第２端４２を有し、該第１端４１の二つのピン４１１が後収容室１５の二つの枢設孔４１２に枢着され、押圧部４０の下向きの押圧動作時に、その第２端４２がシールモジュール３０の中間突出部３１２位置に対応して押圧し、また、その第１端４１が安全スイッチ１５２の上押圧柱１５３位置に対応して押圧し、この時、電熱部３２の第１金属係止体３２２、及び第２金属係止体３２３はそれぞれ二つの前金属接触片２１と接触し、同時に第１端４１もまた安全スイッチ１５２の上押圧柱１５３を下向きに押圧して電池１８の電流を電熱線３２１に導通させて回路を形成する。
【００２５】
注意されたいことは、これは本発明の安全設計であり、使用者はシールモジュール３０の電熱部３２及び安全スイッチ１５２を同時に押圧しなければ電熱線３２１を発熱させられず、これにより、使用者が誤って該シールモジュール３０に接触して火傷をするのを防止できる。
【００２６】
図５を図４と併せて参照されたい。図５は本発明の好ましい実施例の後面図である。図示されるように、該ベース１０はスイッチ１７、及び発光ダイオード１７１を有し、スイッチ１７と発光ダイオード１７１は電気的に接続される。スイッチ１７で発光ダイオード１７１をオンして指示或いは照明に使用するか、スイッチ１７で発光ダイオード１７１をオフする。
【００２７】
図１に図６を併せて参照されたい。図６は本発明の好ましい実施例の安全カッタ展開時の状態図である。図示されるように、電熱シーラーは更に安全カッタ１６を有し、該安全カッタ１６は選択的に該ベース１０の下方より引き出され、切断機能不使用時には安全カッタ１６は該ベース１０の下方に収納される。
【００２８】
図７は本発明の別の実施例のシールモジュールの分解図である。図示されるように、その電熱部の構造は先の実施例の電熱部３２とほぼ同じであるが、本実施例では２線式のシールモジュールとされ、それは、二つの電熱線６１、第１金属係止体６２、第２金属係止体６３、及び耐熱絶縁基部６４を有し、この実施例の２線式シールモジュールを使用すると、その２線式の電熱線６１がプラスチックバッグのシール強度を増すか、或いは厚いプラスチックバッグに対するシールを行なうことができる。
【００２９】
上述の実施例は説明のために例示されたものにすぎず、本発明の主張する権利範囲は特許請求の範囲の記載に準じ、上述の実施例に限定されない。
【図面の簡単な説明】
【００３０】
【図１】本発明の好ましい実施例の分解図である。
【図２】本発明の好ましい実施例のシールモジュールの分解図である。
【図３】本発明の好ましい実施例の立体図で表示した保護部材を結合した状態図である。
【図４】本発明の好ましい実施例の電気回路図である。
【図５】本発明の好ましい実施例の後面図である。
【図６】本発明の好ましい実施例の安全カッタ展開時の状態図である。
【図７】本発明の別の実施例のシールモジュールの分解図である。
【符号の説明】
【００３１】
１０  ベース          １１  前収容室          １１１  支持部
１１２  固定孔        １２  前当接壁          １３  電池室
１４  後当接壁        １５  後収容室          １５１  収容溝
１５２  安全スイッチ  １５３  上押圧柱        １５４  バネ
１６  安全カッタ      １７  スイッチ          １７１  発光ダイオード
１８  電池            ２１  前金属接触片      ２２  後金属接触片
３０  シールモジュール  ３１、６４  耐熱絶縁基部  ３１１  左側部
３１２  中間突出部      ３１３  右側部            ３２  電熱部
３２１、６１  電熱線                ３２２、６２  第１金属係止体
３２３、６３  第２金属係止体        ３２４  耐熱絶縁被覆片
３３  圧縮バネ        ４０  押圧部            ４１  第１端
４１１  ピン          ４１２  枢設孔          ４２  第２端
５１  前蓋            ５１１  貫通孔          ５１２  保護部材
５１３  枢設孔        ５１４  固定ピン        ５２  電池蓋
５３  後蓋            ５３１  穿孔
【図１】
2010018347.tif 000003
【図２】
2010018347.tif 000004
【図３】
2010018347.tif 000005
【図４】
2010018347.tif 000006
【図５】
2010018347.tif 000007
【図６】
2010018347.tif 000008
【図７】
2010018347.tif 000009